(57)【特許請求の範囲】
【請求項１】
試料ガス中の被測定成分濃度を検出する検出部と、
複数の出力端子を備えた出力部と、
少なくとも、検出部で測定された測定データの出力端子への割当て及び出力信号形態を、パラメータとして出力端子と対応させて記憶する記憶部と、
記憶部へのパラメータの設定及び変更を行なう入力部と、
検出部で検出された測定データを記憶部に記憶されているパラメータに従って各出力端子から出力させる演算・制御部と、を備えたことを特徴とするガス濃度測定装置。
【発明の詳細な説明】
【０００１】
【発明の属する技術分野】
本発明は試料ガス中の被測定成分、例えばＮＯｘ、ＣＯ、ＣＯ２、Ｏ２などの濃度を測定するガス濃度測定装置に関するものである。
【０００２】
【従来の技術】
ＮＯｘ計などのガス濃度測定装置では、検出部で検出した測定データを複数のアナログ出力端子から出力させている。各出力端子から出力されるデータは、記録計用データ、テレメータ用データ、燃焼管理等の制御用データというように用途に応じた複数の出力形態として出力されることが要求されるが、ユーザによって出力したい数や、移動平均その他の演算条件、出力信号形態（電圧、電流、レンジなど）が異なる。
また、ユーザによってはテレメータ用の出力信号に関しては、校正時や保守時の信号はテレメータに伝送しないでホールドしたいというような要請もある。
【０００３】
従来のガス濃度測定装置は複数の出力端子を備えているものが多いが、各出力端子から出力される信号の形態は固定されており、ユーザの要請に応じたパラメータにはなっていない。そのため、１つの出力端子の出力を複数の出力に分ける装置や、移動平均その他の演算を行なう演算器や、出力をホールドしたいときに外部から信号を与えてその出力信号をホールドさせる装置などを外付けすることにより、ユーザの種々の要請に対応している。
【０００４】
図１はそのような従来のガス濃度測定装置を示したものであり、ガス濃度測定装置２の各出力端子４に出力信号を記録計用、制御用、テレメータ用などに分ける装置６や、移動平均などの演算を行なう演算器８を外付けしている。出力を分ける装置のうち、記号６ａとして示されているのは、外部からのホールド指令信号によりその分けられた出力を伝送しないでホールドできる機能を備えたものである。
【０００５】
【発明が解決しようとする課題】
図１に示されるように、ユーザの要請に合わせて１つの出力を複数に分ける装置６，６ａや演算器８を外付けしていると、そのような装置を付加するため生産上手間がかかり、また測定装置全体が複雑になってしまう問題がある。また、ホールドしたいときに外部からホールド指令信号を与える必要があり、操作上も不便な点がある。
外付された１つの出力を複数に分ける装置６，６ａや演算器８など、外付された装置はそれぞれに固有の出力形態を持っているため、それらの装置を外付けした後は、ユーザが出力パラメータを随時変更することはできない。
【０００６】
本発明は、ガス濃度測定装置の出力端子に関し、外付け装置を不要にし、かつ出力の形態をユーザの要請に合わせたもの設定できるとともに、そのパラメータも随時変更できるようにすることにより、生産性を上げ、装置を簡略化し、さらに操作性も向上させることを目的とするものである。
【０００７】
【課題を解決するための手段】
図２に本発明を示す。
検出部１０は試料ガス中の被測定成分濃度を検出し、出力部１２は複数の出力端子ＣＨ1〜ＣＨｎを備えている。記憶部１４は検出部１０で測定された測定データの出力端子ＣＨ1〜ＣＨｎへの割当て及び出力信号形態をパラメータとして出力端子ＣＨ1〜ＣＨｎと対応させて記憶する。記憶部１４はまた、必要に応じて、演算条件、警報のための限界値及び出力ホールドのタイミングも、パラメータとして出力端子ＣＨ1〜ＣＨｎと対応させて記憶することができる。入力部１６はキーボードなどであり、記憶部１４へのパラメータの設定及び変更を行なう。演算・制御部１８は検出部１０で検出された測定データを記憶部１４に記憶されているパラメータに従って各出力端子ＣＨ1〜ＣＨｎから出力させる。表示部２０はＣＲＴなどであり、入力部１６から記憶部１４にパラメータを設定する際に使用するものであり、必要に応じて測定データを表示する。
【０００８】
測定の前に、表示部２０の表示に従い、出力部１２の各出力端子ＣＨ１〜ＣＨｎに対するパラメータを入力部１６から入力して記憶部１４へ記憶させて設定しておく。
測定時は、検出部１０で検出した信号に対し、演算・制御部１８が、記憶部１４に記憶されているパラメータに従って、濃度計算や移動平均などの演算を行ない、出力部１２の各出力端子ＣＨ１〜ＣＨｎから出力させる。
【０００９】
【実施例】
実施例では出力端子のチャネル数を９として説明する。
図３は表示部２０に表示された入力画面の一例を示したものであり、記憶部１４に各出力端子ＣＨ１〜ＣＨ９のパラメータを設定するための入力画面である。ＣＨ１〜ＣＨ９は測定チャネル番号を表わし、アナログ出力端子の端子番号に対応している。
【００１０】
各項目の設定は、所定の位置にカーソルを移動し、所定のキー、例えば「ＳＥＬ＋」キーや「ＳＥＬ−」キーを押すことにより、その項目の内容を変更することができ、その後、所定のキー、例えば「ＥＮＴＥＲ」キーを押すことにより、選択された内容が表示部２０のその測定チャネル番号のメモリ領域に記憶される。表示部２０に記憶されている内容を変更する場合は、メニュー画面からこの入力画面を呼出し、設定時と同様にして変更する。
【００１１】
図３の画面で、”測定項目”欄は測定チャネルに対して測定対象を設定するものである。”測定項目”で設定された内容の測定データがそのチャネルの出力端子からアナログ出力される。
演算としてはここでは移動平均が挙げられている。各測定項目について、移動平均値又は瞬時値のいずれの出力を行なうかの設定をする。”移動平均”欄で何らかの時間を設定したときは、その設定時間の移動平均値が算出されて出力され、＊＊＊＊＊のままにしておくと瞬時値が出力される。
【００１２】
”ホールド”欄は校正や保守の際のアナログ出力信号のホールドをするのかどうかを設定するものであり、”なし”を設定すればホールドは行なわれず、”あり”を設定すれば校正や保守モードになる直前の測定値でアナログ出力がホールドされ、校正や保守モードの終了時にホールドが解除される。画面には現れていないが、”ホールド”として”０”を選択したときは、校正や保守モードになったときアナログ出力は測定値を０としてホールドし、校正や保守モード終了時に解除される。
【００１３】
”ｍＡ”欄は測定時の出力信号形態を設定するものである。４〜２０は０〜レンジ値の範囲を４〜２０ｍＡで出力することを意味する。他の出力信号形態を選択することもできる。
”表示”欄はモニタ画面に測定値を表示するかしないかを設定するものであり、”あり”を選択すれば測定値がモニタ画面に表示され、”なし”を選択すれば測定値はモニタ画面には表示されない。
【００１４】
図４は測定値に対して限界値を監視し、警報として知らせる機能に関する設定を行なう場合の表示画面を示したものである。”警報１種類”欄、”警報２種類”欄は、測定チャネルに対して限界値を上限又は下限のどちらに意味付けするかを設定するものであり、”下限”を選択すれば下限値を監視し、限界値未満になった場合に警報を出力し、”上限”を選択すれば上限値を監視し、限界値を越えた場合に警報を出力する。”ヒステリシス”は、測定濃度が警報濃度付近でふらつく場合に、警報がチャタリングするのを防止するためのものであり、０〜９９％の間で設定することができ、設定されたヒステリシスは上限、下限の全てに有効に働く。
【００１５】
図５は警報画面の限界値を設定するための表示画面を示したものである。”測定項目”の欄には図３の表示画面を用いて設定された測定項目が表示される。”レンジ”欄は測定項目のレンジ値を表示するものである。”警報１”、”警報２”にはそれぞれ各レンジに対する限界値を設定する。例えば、チャネルＣＨ１については、”警報１”は図４で下限値と設定されているので、”警報１”に５．０％と設定すれば、レンジが１００．０ｐｐｍのときに測定値が５ｐｐｍ未満になったときに警報を発する。また、”警報２”は図４で上限値と設定されているので、”警報２”に６０．０％と設定すれば、レンジが１００．０ｐｐｍのときに測定値が６０ｐｐｍを越えたときに警報を出力する。”限界”欄は測定値が限界値を超えた場合にアナログ出力を警報１，２で設定されている限界値でホールドするかどうかを設定するものであり、”ＯＮ”と設定すればそのようにホールドし、”ＯＦＦ”と設定すれば測定値が限界値を越えても測定値がそのまま出力される。
【００１６】
【発明の効果】
本発明ではユーザの要望ごとに外付け装置を接続する必要がなくなり、入力部からパラメータを入力して設定するだけでユーザの要請に合わせた出力端子の形態を設定することができる。また記憶部の設定内容を変更するのも自由であるので、ユーザが出力条件を変更したい場合は簡単に変更することができる。そして外付装置を設けないので装置の構成が簡単になる。
【図面の簡単な説明】
【図１】従来のガス濃度測定装置を外付け装置とともに示すブロック図である。
【図２】本発明を示すブロック図である。
【図３】一実施例における出力端子のパラメータ設定用の表示画面を示す図である。
【図４】同実施例における警報条件設定設定用の第１の表示画面を示す図である。
【図５】同実施例における警報条件設定設定用の第２の表示画面を示す図である。
【符号の説明】
１０    検出部
１２    出力部
１４    記憶部
１６    入力部
１８    演算・制御部
２０    表示部
【図１】
0003552353.tif 000002
【図２】
0003552353.tif 000003
【図３】
0003552353.tif 000004
【図４】
0003552353.tif 000005
【図５】
0003552353.tif 000006